(57)【要約】【課題】  写真注文受付装置による注文受付時に注文者によって選択された言語で操作説明文をモニタに表示する。【解決手段】  プリント注文等の入力操作方法を説明する操作説明文を含む注文画面を表示すると共に、注文画面の該当部分をタッチすることにより種々の操作指令を入力するための操作キーを表示する、タッチパネルユニットから構成されるモニタ１１と、複数の言語で作成された操作説明文を記憶する注文画面情報記憶部１７７と、言語選択画面をモニタ１１に表示する選択画面表示部１６４と、言語選択画面で選択された言語の操作説明文を注文画面情報記憶部１７７から読み出して、モニタ１１に表示する注文画面表示部１６５とを備える。【選択図】      図２
2006078781.tif 000002
【特許請求の範囲】
【請求項１】
入力操作部、画像を表示するモニタ及び撮影に関する画像データが記録されている外部記録媒体の装填部を備え、前記外部記録媒体に記録されている画像データを別種類の記録媒体へ記録するための前記入力操作部を介しての注文の受付操作を、前記モニタに操作説明文として表示する写真注文受付装置であって、
複数の言語で作成された前記操作説明文を記憶する操作方法記憶手段と、
言語選択画面を前記モニタに表示する選択画面表示手段と、
前記入力操作部によって選択された言語の前記操作説明文を前記操作方法記憶手段から読み出して、前記モニタに表示する操作画面表示手段とを備えたことを特徴とする写真注文受付装置。
【請求項２】
前記選択画面表示手段は、前記言語の選択を案内する文字列を各言語で前記モニタに一覧表示するものであることを特徴とする請求項１記載の注文受付装置。
【請求項３】
注文内容に応じた料金を算出する料金算出手段と、
料金支払い時の使用可能な通貨の種別を記憶する通貨種別記憶手段とを備え、
前記操作画面表示手段は、前記モニタに前記通貨の種類を表示するものであることを特徴とする請求項１又は２記載の写真注文受付装置。
【請求項４】
注文に対する受付証の発行を行う発行部と、
装置本体が設置される土地の使用言語がセットされる現地語記憶手段とを備え、
前記発行部は、前記使用言語と前記選択された言語とを併記した受付証を作成するものであることを特徴とする請求項１〜３のいずれかに記載の写真注文受付装置。
【請求項５】
前記発行部は、前記使用言語と前記選択された言語との一致の有無を判断し、一致するときは、一方の言語で受付証を作成するものであることを特徴とする請求項４記載の写真注文受付装置。
【請求項６】
請求項１〜５のいずれかに記載の写真注文受付装置と、前記装填部に装填された前記外部記録媒体から記録されている画像データを読み取り、別種類の記録媒体に記録し替える画像記録手段とを備えたことを特徴とする写真処理装置。
【発明の詳細な説明】
【技術分野】
【０００１】
本発明は、外部記録媒体に記録されている撮影に関する画像データを別種類の記録媒体へ記録するための注文情報を受け付ける写真注文受付装置、及び前記写真注文受付装置を備え、当該写真注文受付装置によって受け付けられた注文情報に応じて、当該画像データを別種類の記録媒体に記録する写真処理装置に関する。
【背景技術】
【０００２】
近年、デジタルカメラやカメラ機能付き携帯電話の普及によって、写真店やＤＰ店では、小型メモリカード等の外部記録媒体に格納された撮影に関する画像データの写真プリントサービスや、画像データをＣＤ等の記録媒体に記録し替えるサービスが提供されている。
【０００３】
また、店舗によっては、顧客自身が入力操作可能な受付端末機を店頭に設置し、受付端末機のモニタに表示される操作案内画面に従って、小型メモリーカードのセットから写真プリント等の注文までの操作を注文者に行なわせるものも知られている。
【発明の開示】
【発明が解決しようとする課題】
【０００４】
しかしながら、操作案内文は日本語で表示されているため、外国人旅行者等他の言語を母国語とする人にとっては受付端末機を操作して写真プリント等のサービスを受けることが容易ではなかった。また、本受付端末機が外国に設置されている場合も、同様に、当該国を旅行する者等にとって利用し難い面がある。
【０００５】
本発明は上記課題に鑑みてなされたもので、注文者の母国語の種類に関わらず操作容易な写真注文受付装置、及びこの写真注文受付装置を備える写真処理装置を提供することを目的とする。
【課題を解決するための手段】
【０００６】
本発明の請求項１に係る写真注文受付装置は、入力操作部、画像を表示するモニタ及び撮影に関する画像データが記録されている外部記録媒体の装填部を備え、前記外部記録媒体に記録されている画像データを別種類の記録媒体へ記録するための前記入力操作部を介しての注文の受付操作を、前記モニタに操作説明文として表示する写真注文受付装置であって、複数の言語で作成された前記操作説明文を記憶する操作方法記憶手段と、言語選択画面を前記モニタに表示する選択画面表示手段と、前記入力操作部によって選択された言語の前記操作説明文を前記操作方法記憶手段から読み出して、前記モニタに表示する操作画面表示手段とを備えたことを特徴とする。
【０００７】
上記構成によれば、入力操作部を介しての注文の受付操作に際して、選択画面表示手段によりモニタに言語選択画面が表示され、入力操作部によって言語の選択が行なわれると、選択された言語で作成された操作説明文が操作方法記憶手段から読み出され、操作画面表示手段によりモニタに表示される。これにより、例えば注文者に対して母国語での操作説明文の表示が可能となる。
【０００８】
本発明の請求項２に係る写真注文受付装置は、請求項１記載の注文受付装置において、前記選択画面表示手段は、前記言語の選択を案内する文字列を各言語で前記モニタに一覧表示するものであることを特徴とする。
【０００９】
上記構成によれば、選択画面表示手段により言語の選択を案内する文字列が各言語でモニタに一覧表示されるため、注文者の使用言語に応じた言語の選択が可能となる。
【００１０】
本発明の請求項３に係る写真注文受付装置は、請求項１又は２記載の注文受付装置において、注文内容に応じた料金を算出する料金算出手段と、料金支払い時の使用可能な通貨の種別を記憶する通貨種別記憶手段とを備え、前記操作画面表示手段は、前記モニタに前記通貨の種類を表示するものであることを特徴とする。
【００１１】
上記構成によれば、料金算出手段により注文内容に応じた料金が算出され、操作画面表示手段により料金支払い時の使用可能な通貨の種類がモニタに表示されるため、注文操作の受付後に使用可能な通貨の不所持によってサービスが利用できないという不都合が回避される。
【００１２】
本発明の請求項４に係る写真注文受付装置は、請求項１〜３のいずれかに記載の注文受付装置において、注文に対する受付証の発行を行う発行部と、装置本体が設置される土地の使用言語がセットされる現地語記憶手段とを備え、前記発行部は、前記使用言語と前記選択された言語とを併記した受付証を作成するものであることを特徴とする。
【００１３】
上記構成によれば、選択画面表示手段によりモニタに言語選択画面が表示され、入力操作部によって装置本体が設置される土地の使用言語の選択が行なわれると、使用言語が現地語記憶手段にセットされる。そして、発行部によって使用言語と選択された言語とを併記した受付証が作成されるため、注文者が例えば外国人旅行者である場合、注文者及び装置本体が設置されているラボ店等の店員双方による受付証の理解が可能となり、注文により作成された写真等の受渡しがスムーズに行なわれる。
【００１４】
本発明の請求項５に係る写真注文受付装置は、請求項４記載の注文受付装置において、前記発行部は、前記使用言語と前記選択された言語との一致の有無を判断し、一致するときは、一方の言語で受付証を作成するものであることを特徴とする。
【００１５】
上記構成によれば、発行部によって使用言語と選択された言語との一致の有無が判断され、一致するときは、一方の言語で受付証が作成されるため、同一内容の文字列の重複記載が防止される。
【００１６】
本発明の請求項６に係る写真注文受付装置は、請求項１〜５のいずれかに記載の写真注文受付装置と、前記装填部に装填された前記外部記録媒体から記録されている画像データを読み取り、別種類の記録媒体に記録し替える画像記録手段とを備えたことを特徴とする。
【００１７】
上記構成によれば、写真注文受付装置によって注文が受け付けられると、画像記録手段によって装填部に装填された外部記録媒体から記録されている画像データが読み取られ、別種類の記録媒体、例えば印画紙やＣＤ等の電子記録媒体に記録し替えられるため、写真や画像データが記録されたＣＤ等が得られる。
【発明の効果】
【００１８】
本発明の請求項１に係る写真注文受付装置によれば、注文者によって選択された言語の操作説明文をモニタに表示するので、例えば注文者が外国人旅行者である場合も、プリント注文等の操作説明文の理解が可能となり、各種サービスの利用が可能となる。
【００１９】
本発明の請求項２に係る写真注文受付装置によれば、言語の選択を案内する文字列を各言語でモニタに一覧表示するので、注文者の使用言語に応じた言語の選択が可能となる。
【００２０】
本発明の請求項３に係る写真注文受付装置によれば、料金支払い時の使用可能な通貨の種類をモニタに表示するので、注文操作の受付後に使用可能な通貨の不所持によってサービスが利用できないという不都合を回避することができる。
【００２１】
本発明の請求項４に係る写真注文受付装置によれば、本装置の設置場所の使用言語と注文者に選択された言語とを併記した受付証を作成するので、注文者が例えば外国人旅行者である場合でも、注文者及び本装置が設置されているラボ店等の店員双方による受付証の理解が可能となり、写真等の受渡しをスムーズに行なうことができる。
【００２２】
本発明の請求項５に係る写真注文受付装置によれば、本装置の設置場所の使用言語と選択された言語との一致の有無を判断し、一致するときは、一方の言語で受付証を作成するので、同一内容の文字列の重複記載を防止することができる。
【００２３】
本発明の請求項６に係る写真注文受付装置によれば、写真注文受付装置によって注文が受け付けられると、画像記録手段は装填部に装填された外部記録媒体から記録されている画像データを読み取り、別種類の記録媒体としての印画紙やＣＤ等の電子記録媒体に記録し替える処理を行なうため、写真や画像データが記録されたＣＤ等を得ることができる。
【発明を実施するための最良の形態】
【００２４】
図１は本発明に係る写真処理装置の外観斜視図の一例を示すものである。写真処理装置は、受付装置１０、ＣＤ処理装置２０及びデジタルプリンタ３０を備える。受付装置１０は、プリント処理等を行う際の各種指示を入力するための注文画面や取り込んだ画像を表示するモニタ１１と、ＣＤ−Ｒ／ＲＷ（CD  Recordable／Rewritable）、小型メモリーカード等の複数種類のメディア（外部記録媒体）が挿入、取り出し可能に構成され、各メディアに格納される画像データの取り込みを行う画像取込部１２と、所要の情報、例えば注文毎に付与される識別情報を所定サイズの記録紙に印刷して、注文者への受付証として出力するプリンタ１３と、注文に対する料金の支払いを受け付けるための料金受付部１４と、画像データのプリント処理、ＣＤへの書き込み処理を指示するための制御データをそれぞれメディアから取り込まれた画像データと共にデジタルプリンタ３０、ＣＤ処理装置２０に出力する通信部１５とを備える。
【００２５】
モニタ１１は、タッチパネルとＬＣＤ（Liquid Crystal Display）とを組み合わせたタッチパネルユニット等から構成され、プリント注文等の入力操作方法を説明する操作説明文を含む種々の注文画面を表示するとともに、注文画面の該当部分をタッチすることにより種々の操作指令を入力するための操作キーを表示する。また、受付装置１０の筐体の前面には金銭投入口から投入された金銭の額を求める料金受付部１４が設けられている。
【００２６】
受付装置１０は、モニタ１１に表示される注文画面で入力される注文情報を受け付けると共に、画像取込部１２によりメディアに格納された画像データを取り込んで、後述するＨＤＤ１７に記憶し、必要に応じてデジタルプリンタ３０等に対して送信するものである。
【００２７】
ＣＤ処理装置２０は、筐体の手前右側に配置された書き込み前のＣＤ−Ｒ（ＣＤ  ｒｅｃｏｒｄａｂｌｅ）又はＣＤ−ＲＷ（ＣＤ  ｒｅｗｒｉｔａｂｌｅ）（以下これらを総称してＣＤという）をストックするストック部２１と、筐体の手前左側に配置され、書き込み前のＣＤに画像データの書き込みを行うヘッドを有するＣＤライタ２２と、書き込み前のＣＤをストック部２１からＣＤライタ２２に移送するべく真空吸着式及び左右スライド構造を有する移送部２３と、ＣＤ処理装置２０の全体の動作を制御するマイクロコンピュータ、メモリ等からなる制御部（図示省略）とを備えている。
【００２８】
デジタルプリンタ３０は、それぞれ幅の異なる複数種類（例えば２種類）の長尺印画紙を巻回収納したマガジン３１，３２と、該マガジン３１，３２から引き出した印画紙を所定サイズに切断し、切断された印画紙片上に受付装置１０から送信された画像（画像データ）を露光する露光部（図示省略）と、露光された印画紙片を現像、漂白、定着及び安定化処理する現像処理部（図示省略）と、現像された印画紙片を乾燥する乾燥部３３と、乾燥後の印画紙片をオーダ単位に仕分けて排出するソータ３４と、装置全体の動作を制御するマイクロコンピュータ、メモリ等からなる制御部（図示省略）とを備える。  図２は受付装置１０の制御部１６の構成を示すブロック図である。制御部１６は、写真処理装置全体の動作を制御するものである。制御部１６は、ＣＰＵ（Central Processing Unit）（図示省略）と、処理途中のデータを一時的に格納するＲＡＭ（Random Access Memory）（図示省略）と、写真処理装置の各種動作を制御するプログラム、各種画像を構成する画面データ等を予め記憶するＲＯＭ（Read Only Memory）（図示省略）とを備える。
【００２９】
ＨＤＤ１７は、注文者の氏名、プリント注文の有無、プリント枚数、プリントサイズ等を含む注文情報を記憶すると共に、後述する受付情報付与部１６３によって注文情報に付与された識別情報（以下、「受付ＩＤ」という）及び注文の受付日時を示す受付時間情報を注文情報に関連付けて記憶する注文情報記憶部１７１と、受付装置１０の識別情報（以下、「端末ＩＤ」という）やラボ店の電話番号等の固有情報を記憶する固有情報記憶部１７２と、メディアから取り込まれた画像データを格納する取込画像記憶部１７３と、後述する言語受付部１６２によって選択された言語情報を記憶する言語記憶部１７４と、モニタ１１に表示される注文画面の操作説明文の文字列データ（以下、操作案内情報ともいう）を記憶する注文画面情報記憶部１７７と、受付証に印刷される書類名を表す文字列データや、受付ＩＤ、端末ＩＤ等の受付情報に対する受付項目名を表す文字列データを記憶する受付証情報記憶部１７８と、注文に対する課金金額を算出するために使用される料金情報としてのプリント単価情報、料金受付部１４で受付可能な通貨の種類（以下、「通貨種類情報」という）を記憶すると共に、プリント単価とプリント枚数から算出された課金金額情報を記憶する料金情報記憶部１７９とを備える。
【００３０】
言語記憶部１７４は、装置本体が設置される土地の使用言語である現地語を示す現地語情報を記憶する第１言語記憶部１７５と、モニタ１１に表示される注文画面又はプリンタ１３によって出力される受付証の表示言語を示す表示言語情報を記憶する第２言語記憶部１７６とを備える。
【００３１】
図３は、注文画面情報記憶部１７７に記憶されている注文画面情報フォルダのデータ構成図の一例である。注文画面情報記憶部１７７には、注文画面毎の操作案内情報を有する複数の注文画面情報フォルダＡ，Ｂ・・が記憶されている。各注文画面情報フォルダは、各国言語の操作説明文の文字列データを含む複数の言語ファイル及び操作説明文の文字列のモニタ１１上での配置等の関連情報を含む関連情報ファイルから構成されている。例えば、サービス内容の選択を受け付ける処理選択画面Ｇ２の注文画面情報フォルダの言語ファイルには、プリント処理、ＣＤへの画像保存処理等の各種サービスを表す文字列データ及び使用可能な通貨の種類を案内する使用通貨案内メッセージの文字列データが含まれている。
【００３２】
図４は、受付証情報記憶部１７８に記憶されている受付証情報フォルダのデータ構成図の一例である。受付証情報フォルダは、各国言語で作成された書類名及び受付項目名の文字列データを含む複数の言語ファイル及び受付項目名の文字列データの配置や大きさ等の関連情報を含む関連情報ファイルから構成されている。
【００３３】
図２に戻って、制御部１６は、受付処理部１６１、言語受付部１６２、受付情報付与部１６３、言語選択画面表示部１６４、注文画面表示部１６５、処理制御部１６６、受付証発行制御部１６７及び料金算出部１６９を備える。受付処理部１６１は、モニタ１１の注文画面を介して入力されるプリント処理、ＣＤの作成処理に関する各種指示に対する受付処理を行なうものである。具体的には、受付処理部１６１は、プリント要求やＣＤ作成要求の有無、プリントサイズ、プリント枚数、及びメディアの選択等の注文情報を受け付け、当該注文情報を注文情報記憶部１７１に記憶するものである。また、受付処理部１６１は、画像取込部１２によりメディアから取り込まれた画像データを受け付け、取込画像記憶部１７３に格納するものである。
【００３４】
言語受付部１６２は、モニタ１１の注文画面を介して現地語の選択を受け付けると、選択された現地語情報を第１言語記憶部１７５に記憶するものである。言語受付部１６２は、モニタ１１の注文画面を介して表示言語の選択を受け付けると、選択された表示言語情報を第２言語記憶部１７６に記憶するものである。
【００３５】
受付情報付与部１６３は、受付処理部１１１ａによって注文情報が受け付けられる度に、所定のルールに則って受付ＩＤを生成すると共に、現在時刻を取得するための時計部（図示省略）によって得られた注文情報を受け付けた受付日時を示す受付時間情報を生成し、受付ＩＤ及び受付時間情報を注文情報に関連付けて注文情報記憶部１７１に記憶するものである。ここでは、受付ＩＤは４桁の整数であって、受付情報付与部１６３は、カウンタを内蔵しており、注文情報が受け付けられた順にカウントアップすることで、注文毎に４桁の一連番号である識別情報を付与するものである。
【００３６】
言語選択画面表示部１６４は、モニタ１１の表示言語の選択を案内する文字列を各国言語で表示する言語選択画面をモニタ１１に表示するものである。注文画面表示部１６５は、言語選択画面で選択された言語の操作説明文の文字列データを注文画面情報記憶部１７７から読み出して、モニタ１１に表示させるものである。また、注文画面表示部１６５は、操作説明文の一例として本装置で使用可能な通貨の種類を表示するものである。
【００３７】
処理制御部１６６は、受付処理部１６１によって受け付けられた注文情報に応じてプリント処理やＣＤへの画像保存処理を指示する指示信号を取込画像記憶部１７３に記憶されている画像データと共にそれぞれデジタルプリンタ３０及びＣＤ処理装置２０に出力するものである。
【００３８】
受付証発行制御部１６７は、注文情報記憶部１７１に記憶されている受付情報及び固有情報記憶部１７２に記憶されている固有情報から受付証のプリントデータを作成する画像作成部１６８を備え、画像作成部１６８によって作成された受付証のプリントデータをプリント指示と共にプリンタ１３に出力するものである。
【００３９】
画像作成部１６８は、受付証情報記憶部１７８に記憶されている受付証情報フォルダの中から言語受付部１６２で指定された表示言語のフォルダ及び現地語のフォルダを取り出し、各言語フォルダから書類名及び受付項目名の文字列データを取得すると共に、注文情報記憶部１７１に今回受け付け処理が行なわれた注文情報に関連付けて記憶されている受付ＩＤ、受付時間情報、固有情報記憶部１７２に記憶されている端末ＩＤ及び電話番号等の固有情報を取得し、表示言語及び現地語の書類名の文字列を併記し、かつ、表示言語及び現地語の各受付項目名の文字列と対応する受付情報をそれぞれ併記したプリントデータを作成するものである。
【００４０】
また、画像作成部１６８は、言語受付部１６２で指定された表示言語と現地語とが一致するか否かの判定を行い、一致する場合は受付証情報記憶部１７８に記憶されている受付証情報フォルダの中から当該指定言語のフォルダを取り出し、当該指定言語の書類名の文字列を含み、かつ、当該指定言語の各受付項目名の文字列と対応する受付情報をそれぞれ併記したプリントデータを作成するものである。
【００４１】
料金算出部１６９は、受付処理部１６１により受け付けられたプリント枚数の合計と、料金情報記憶部１７９に記憶されているプリント単価情報とを用いて課金金額を求め、求めた課金金額情報を料金情報記憶部１７９に格納するものである。また、料金算出部１６９は、課金金額算出部により算出された課金金額分が料金受付部１４により算出されたときに、処理制御部１６６等に対して各種処理を許可するものである。
【００４２】
次に、図５乃至図９を用いて受付装置１０によってプリント注文が受け付けられた際にモニタ１１に表示される注文画面の一例について説明する。図５は、モニタ１１の表示言語を選択するための言語選択画面の一例を示す画面図である。言語選択画面Ｇ１には、例えば各国の言語で「画面を〜語で表示する」というメッセージが表示されており、いずれかのメッセージの表示域の選択によって注文画面での表示言語が選択される。表示言語が選択されると、言語受付部１６２によって選択された表示言語情報が第２言語記憶部１７６に記憶される。これ以降にモニタ１１に表示される操作説明文の文字列は選択された表示言語で表示される。
【００４３】
なお、本装置の設置時等にモニタ１１に表示される環境設定画面（図示省略）において、現地語の設定を選択すると、モニタ１１には上記言語選択画面Ｇ１と同一の画面が表示される。画面上で現地語が選択されると、言語受付部１６２によって選択された現地語情報が第１言語記憶部１７５に記憶される。
【００４４】
図６は、表示言語の選択によってモニタ１１に表示される処理選択画面Ｇ２の一例を示す画面図である。処理選択画面Ｇ２には、画像データのプリント処理やＣＤへの画像保存処理等のサービスからいずれかを選択するための選択キー２５１ａ〜２５１ｅが表示されている。ここで、操作説明文の文字列は言語選択画面Ｇ１で選択された表示言語、例えば、日本語で表示されている。また、画面適所、例えば、画面の上部には使用可能な通貨の種類を案内するメッセージ、例えば「使用可能な通貨は円です。」が表示されている。
【００４５】
図７は、モニタ１１に表示されるメディア選択画面の一例を示す図である。メディア選択画面Ｇ３には、例えば、ＣＤ−Ｒ／ＲＷ、コンパクトフラッシュ（登録商標）、ＭＯ、メモリースティック等、複数種類のメディアの中から画像取込対象のメディアの選択を行うメディア選択キー３０１ａ〜３０１ｄと、メディアの選択を確定するためのＯＫキー３０２と、メディアの選択を解除するためのキャンセルキー３０３と、一連の処理をキャンセルして、モニタ１１の表示画面を言語選択画面Ｇ１に戻すための中止キー３０４とを備える。メディア選択画面Ｇ３においていずれかのメディア選択キー３０１ａ〜３０１ｄが押下されると、当該メディア選択キーは選択されたことを示すべく表示形態、例えば外枠が太線に変更される。同時に、受付処理部１６１によって選択されたメディアの種類を特定するメディア情報が注文情報記憶部１７１に記憶される。
【００４６】
図８は、メディア選択画面Ｇ３でＯＫキーが選択された時にモニタ１１に表示される画像一覧画面の一例を示す画面図である。画像一覧画面Ｇ４には、メディアから取り込まれた各画像の縮小画像データ３５１ａ〜３５１ｆが表示され、各画像データ３５１ａ〜３５１ｆの下方にそれぞれ対応して各画像のプリント枚数を設定可能な枚数設定キー及び設定されたプリント枚数を表示させる枚数表示部からなるプリント枚数設定部３５２ａ〜３５２ｆが表示されている。また、画像一覧画面Ｇ４には、画像データ３５１ａ〜３５１ｆのプリント指示を入力するための決定キー３５３と、一連の処理をキャンセルして、モニタ１１の表示画面を言語選択画面Ｇ１に戻すための中止キー３５４とが表示されている。プリント枚数設定部３５２ａ〜３５２ｆによって各画像のプリント枚数が設定された状態で、決定キー３５３が押下されると、各画像のプリント枚数情報が注文情報記憶部１７１に記憶される。
【００４７】
図９は、画像一覧画面Ｇ４で決定キー３５３が選択された場合にモニタ１１に表示される料金算出画面の一例を示す画面図である。料金算出画面Ｇ５には、注文内容、例えばプリント指定された画像のファイル名４０１、プリント指定された各画像のプリント枚数４０２、各画像のプリント枚数を合計した合計枚数４０３、プリントの合計枚数とプリント単価から計算された課金料金４０４が表示されている。また、画面下部に、入力された注文をキャンセルして、モニタ１１の表示画面を言語選択画面Ｇ１に戻すための中止キー４０５が表示されている。
【００４８】
図１１及び図１２は、モニタ１１を介してプリントサービスが選択された際の制御部１６による処理の一例を説明するためのフローチャートである。まず、言語選択画面Ｇ１がモニタ１１に表示される（ステップＳ１）。表示言語の選択の有無が受付処理部１６１によって判断され（ステップＳ３）、表示言語の選択が行なわれた場合、言語受付部１６２によって選択された表示言語の識別情報が第２言語記憶部１７６に記憶される（ステップＳ５）。
【００４９】
次いで、処理選択画面Ｇ２がモニタ１１に表示される（ステップＳ７）。処理選択画面Ｇ２において各種サービスの選択の有無が判断され（ステップＳ９）、１つのサービス、例えばプリントサービスが選択された場合、メディア選択画面Ｇ３がモニタ１１に表示される（ステップＳ１１）。さらに、メディア選択画面Ｇ３において選択されたメディアが画像取込部１２に装填されているか否かが判断され（ステップＳ１３）、メディアが装填されている場合は、画像取込部１２によりメディアからの画像データの取り込み処理が行われ、取り込まれた画像データがモニタ１１に一覧表示される（ステップＳ１５）。
【００５０】
次いで、プリント枚数設定部３５２ａ〜３５２ｆによって各画像のプリント枚数が指定されたか否かが受付処理部１６１によって判断される（ステップＳ１７）。プリント枚数が指定された状態で更に決定キー３５３の選択の有無が受付処理部１６１によって判断され（ステップＳ１９）、決定キー３５３が選択された場合、受付処理部１６１によって各画像のプリント枚数情報が注文情報記憶部１７１に記憶される（ステップＳ２１）。
【００５１】
料金算出部１６９によって注文情報記憶部１７１に記憶されているプリント枚数情報及び料金情報記憶部１７９に記憶されているプリント単価情報によって課金金額が算出され、料金算出画面Ｇ５がモニタ１１に表示される（ステップＳ２３）。そして、料金受付部１４による算出金額が課金金額の金額分に達したか否かが料金算出部１６９によって判断され（ステップＳ２５）、料金受付部１４による算出金額が課金金額に達した時に、料金算出部１６９によってプリント処理を許可する許可信号が受付情報付与部１６３、受付証発行制御部１６７及び処理制御部１６６に出力される。
【００５２】
これを受けて、受付情報付与部１６３によって今回受付処理が行なわれた注文情報に対する受付ＩＤ及び受付時間情報が生成され、注文情報に関連付けて注文情報記憶部１７１に記憶される（ステップＳ２７）。受付証発行制御部１６７によって受付証のプリントデータが作成され（ステップＳ２９）、作成された受付証のプリントデータのプリント処理がプリンタ１３に指示される（ステップＳ３１）。また、メディアから取り込まれた画像データのプリント処理がデジタルプリンタ３０に指示される（ステップＳ３３）。
【００５３】
図１３は、モニタ１１へ処理選択画面Ｇ２を表示する際の注文画面表示部１６５の処理を説明するためのフローチャートである。まず、注文画面情報記憶部１７７から処理選択画面の注文画面情報フォルダＡが取得され（ステップＳ５１）、処理選択画面の注文画面情報フォルダＡの中から指定された表示言語のファイル及び関連情報ファイルが取り出される（ステップＳ５３）。次いで、関連情報ファイルに含まれる関連情報に基づき、表示言語のファイルに含まれる操作説明文の文字列データ、即ち、各種サービスを表す文字列データ、使用通貨案内メッセージの文字列データ等が、所定の配置、大きさ等でモニタ１１に表示される（ステップＳ５５）。
【００５４】
図１４は、画像作成部１６８によるプリントデータの作成処理を説明するためのフローチャートである。まず、指定された表示言語と現地語の一致判定が行なわれ（ステップＳ１０１）、両者が一致しない場合、受付証情報フォルダの中から指定された表示言語のフォルダが取り出され、当該フォルダから表示言語からなる書類名及び受付項目名の文字列データが取得される（ステップＳ１０３）。同様に、受付証情報フォルダの中から指定された現地語のフォルダが取り出され、当該フォルダから現地語からなる書類名及び受付項目名の文字列データが取得される（ステップＳ１０５）。一方、表示言語と現地語が一致する場合は、受付証情報フォルダの中から指定された現地語のフォルダが取り出され、当該フォルダから現地語からなる書類名及び受付項目名の文字列データが取得される（ステップＳ１０５）。
【００５５】
更に、今回受け付け処理が行われた注文情報に付与された受付ＩＤ及び受付時間情報が注文情報記憶部１７１から読み出される（ステップＳ１０７）と共に、端末ＩＤ、電話番号等の固有情報が固有情報記憶部１７２から読み出される（ステップＳ１０９）。そして、各書類名及び受付項目名の文字列データ、受付ＩＤ等の受付情報が所定位置に配置されたプリントデータ、即ち、表示言語及び現地語の書類名の文字列を併記し、かつ、表示言語及び現地語の各受付項目名の文字列と対応する受付情報をそれぞれ併記したプリントデータ、或いは表示言語と現地語が同一である場合、指定言語の書類名の文字列データを含み、かつ、当該指定言語の各受付項目名の文字列と対応する受付情報をそれぞれ併記したプリントデータが作成される（ステップＳ１１１）。
【００５６】
図１０はプリンタ１３から出力される受付証の一例を示す図である。受付証５００には、ユーザにより指定された表示言語及び現地語からなる書類名及び各受付項目名の文字列５０１〜５０５と、各受付項目に対応する受付ＩＤ５０６、端末ＩＤ５０７、受付時間情報５０８、電話番号５０９等の受付情報が印刷される。ここでは、選択された表示言語が英語であり、現地語が例えば日本である。従って、例えば、外国人旅行者が日本での滞在中にラボ店でのプリントサービスを利用する際に、受付証の内容を理解することができ、さらに、旅行者だけではなくラボ店の店員による受付証情報の理解も可能となり、受付証と引き換えに行なわれる写真の受渡しがスムーズに行なわれる。
【００５７】
このように本実施形態によれば、注文画面の操作説明文の文字列は指定された表示言語、例えば外国人旅行者の母国語で表記されるため、プリント注文等の操作説明文の理解が可能となり、注文者の母国語の種類に関わらず、写真プリント等の各種サービスを利用することができる。また、注文情報の入力前に操作案内情報として使用通貨の種類を案内するメッセージがモニタ１１に表示されるため、料金の支払いの段階で使用通貨の不所持によってサービスが利用できないという不都合を回避することができる。
【００５８】
さらに、注文者に発行される受付証には、注文者により指定された表示言語と現地語の両方で情報が印刷されるため、旅行者だけではなくラボ店の店員による受付証の内容の理解が可能となり、写真の受渡しがスムーズに行なわれる。
【図面の簡単な説明】
【００５９】
【図１】本発明に係る写真処理装置の外観斜視図の一例である。
【図２】受付装置の制御部の構成を示すブロック図である。
【図３】注文画面情報記憶部に記憶されている注文画面情報フォルダのデータ構成図の一例である。
【図４】受付証情報記憶部に記憶されている受付証情報フォルダのデータ構成図の一例である。
【図５】モニタに表示される言語選択画面の一例を示す画面図である。
【図６】モニタに表示される処理選択画面の一例を示す画面図である。
【図７】モニタに表示されるメディア選択画面の一例を示す画面図である。
【図８】モニタに表示される画像一覧画面の一例を示す画面図である。
【図９】モニタに表示される料金算出画面の一例を示す画面図である。
【図１０】プリンタから出力される受付証の一例を示す図である。
【図１１】モニタを介してプリントサービスが選択された際の制御部による処理の一例を説明するためのフローチャートである。
【図１２】モニタを介してプリントサービスが選択された際の制御部による処理の一例を説明するためのフローチャートである。
【図１３】モニタへ処理選択画面を表示する際の表示制御部の処理を説明するためのフローチャートである。
【図１４】画像作成部によるプリントデータの作成処理を説明するためのフローチャートである。
【符号の説明】
【００６０】
１０  受付装置（写真注文受付装置）
２０  ＣＤ処理装置（画像記録手段）
３０  デジタルプリンタ（画像記録手段）
１１  モニタ（入力操作部）
１２  画像取込部（装填部）
１３  プリンタ（発行部）
１４  料金受付部
１５  通信部
１６  制御部
１６１  受付処理部
１６２  言語受付部
１６３  受付情報付与部
１６４  言語選択画面表示部（選択画面表示手段）
１６５  注文画面表示部（操作画面表示手段）
１６６  処理制御部
１６７  受付証発行制御部
１６８  画像作成部
１６９  料金算出部（料金算出手段）
１７  ＨＤＤ
１７１  注文情報記憶部
１７２  固有情報記憶部
１７３  取込画像記憶部
１７４  言語記憶部
１７５  第１言語記憶部（現地語記憶手段）
１７６  第２言語記憶部
１７７  注文画面情報記憶部（操作方法記憶手段）
１７８  受付証情報記憶部
１７９  料金情報記憶部（通貨種別記憶手段）
【図１】
2006078781.tif 000003
【図２】
2006078781.tif 000004
【図３】
2006078781.tif 000005
【図４】
2006078781.tif 000006
【図５】
2006078781.tif 000007
【図６】
2006078781.tif 000008
【図７】
2006078781.tif 000009
【図８】
2006078781.tif 000010
【図９】
2006078781.tif 000011
【図１０】
2006078781.tif 000012
【図１１】
2006078781.tif 000013
【図１２】
2006078781.tif 000014
【図１３】
2006078781.tif 000015
【図１４】
2006078781.tif 000016